(57)【要約】      （修正有）【課題】直線走行と共に、回転させることもできる走行玩具について、直線走行と回転を連続的に変化させることができるようにし、興味を引きやすい運動変化が得られるようにした走行玩具を提供する。【解決手段】前側に従動輪５、後側に二つの駆動輪６ａ等が設けられた走行玩具において、引き上げることで前側を持ち上げ可能な位置に索体２を設けると共に、前記二つの駆動輪６ａ等のうちの片方の駆動輪６ａ側で、該片方の駆動輪６ａの中心よりも後側の端部寄りに突起部７を設ける。該突起部７は、総ての車輪が接地している水平状態では前記片方の駆動輪６ａよりも引っ込んでおり、前記索２を引き上げて前側を所定量以上持ち上げた傾斜状態では前記片方の駆動輪６ａより下方へ突出する突出量とし、索体２を上下させることで直線走行と回転との間で連続変化可能とする。【選択図】図１
0003160650.tif 000002
【実用新案登録請求の範囲】
【請求項１】
前後一方側に一つ又は二つの従動輪、前後他方側に二つの駆動輪が設けられた三輪又は四輪の走行玩具において、
引き上げることで前記一方側を持ち上げ可能に、重心よりも前記一方側へ偏った上部位置から索体が延出していると共に、前記重心よりも前記二つの駆動輪のうちの片方の駆動輪側に偏り、しかも該片方の駆動輪の中心よりも前記他方側の端部寄りに突起部が設けられており、該突起部が、総ての車輪が接地している水平状態では垂直方向下端縁が前記片方の駆動輪の下端縁よりも上方にあり、前記索体を引き上げて前記一方側を所定量以上持ち上げた傾斜状態では垂直方向下端縁が前記片方の駆動輪の下端縁より下方に突出する突出量であることを特徴とする走行玩具。
【請求項２】
動力源がゼンマイであり、索体が、ゼンマイが復帰して緩むと共に巻き取られ、引き出すことでゼンマイを巻き締めることができる巻き締め用の紐を兼ねていることを特徴とする請求項１に記載の走行玩具。
【考案の詳細な説明】
【技術分野】
【０００１】
本発明は、三輪又は四輪で直線走行すると共に、回転させることもできる走行玩具に関する。
【背景技術】
【０００２】
従来、二輪で直線走行する玩具について、シャーシーの幅方向にオフセットした位置に、車輪よりも下方に突出させてビスを設けることで片方の車輪を浮かせ、ビスを中心として回転できるようにすることが知られている（例えば、特許文献１参照）。
【先行技術文献】
【特許文献】
【０００３】
【特許文献１】特開２００４−４９３６０号公報
【考案の概要】
【考案が解決しようとする課題】
【０００４】
上記従来の走行玩具の場合、ビスを車輪よりも引っ込めておいた時には直線走行し、車輪より下方へ突出させておいた時には回転する。
【０００５】
しかしながら、直線走行と回転の切り換えにはドライバーなどでビスの突出量を調整しなければならず、直線走行から回転へ、更には回転から直線走行へと連続的に変化させることができず、興味を引く運動の変化性に乏しい問題がある。
【０００６】
本考案は、上記問題点に鑑みてなされたもので、直線走行と共に、回転させることもできる走行玩具について、直線走行と回転を連続的に変化させることができるようにし、興味を引きやすい運動変化が得られるようにすることを目的とする。
【課題を解決するための手段】
【０００７】
本考案は、上記目的のために、前後一方側に一つ又は二つの従動輪、前後他方側に二つの駆動輪が設けられた三輪又は四輪の走行玩具において、
引き上げることで前記一方側を持ち上げ可能に、重心よりも前記一方側へ偏った上部位置から索体が延出していると共に、前記重心よりも前記二つの駆動輪のうちの片方の駆動輪側に偏り、しかも該片方の駆動輪の中心よりも前記他方側の端部寄りに突起部が設けられており、該突起部が、総ての車輪が接地している水平状態では垂直方向下端縁が前記片方の駆動輪の下端縁よりも上方にあり、前記索体を引き上げて前記一方側を所定量以上持ち上げた傾斜状態では垂直方向下端縁が前記片方の駆動輪の下端縁より下方に突出する突出量であることを特徴とする走行玩具を提供するものである。
【０００８】
また、上記本考案は、動力源がゼンマイであり、索体が、ゼンマイが復帰して緩むと共に巻き取られ、引き出すことでゼンマイを巻き締めることができる巻き締め用の紐を兼ねていることをその好ましい態様として含むものである。
【考案の効果】
【０００９】
本考案によれば、索体を引き上げることなく緩めて総ての車輪を接地させた状態では直線走行させることができ、索体を引き上げて一方側を所定量以上持ち上げると、片方の動力輪を浮かせることができる。そして、この二つの動力輪のうちの片方の動力輪の浮き上がりにより回転させることができる。つまり、直線走行と回転を、索体の上げ下げだけで連続的に切り換えることができ、興味を引きやすい連続した運動変化が得られる。
【図面の簡単な説明】
【００１０】
【図１】本考案に係る走行玩具の一例の水平状態での側面図である。
【図２】図１に示される動力部の底面側の拡大斜視図である。
【図３】走行玩具が図１に示される水平状態にある時の動力部の拡大側面図である。
【図４】図１に示される走行玩具の前部を持ち上げた状態の側面図である。
【図５】走行玩具が図４に示される傾斜状態にある時の動力部の拡大側面図である。
【図６】走行玩具が図４に示される傾斜状態にある時の動力部の拡大背面図である。
【考案を実施するための形態】
【００１１】
まず、図１〜図６に基づいて、本考案に係る走行玩具の一例を説明する。なお、図１〜図６において同じ符号は同じ構成要素を示す。
【００１２】
図１に示されるように、本例の走行玩具は犬の形状の本体１と、本体１の上部から延出した索体２と、本体１が被せられた動力部３とを備えている。
【００１３】
索体２は、引き上げることで前側（頭側）を持ち上げることができるよう、本走行玩具全体の重心よりも前寄りとなる首部の背中側から延出している。
【００１４】
図２に示されるように、動力部３は、動力源（図示されていない）を収納した動力ケース４と、この動力ケース４に取り付けられた三つの車輪（従動輪５、駆動輪６ａ，６ｂ）とを備えており、車輪側を下にして上から本体１が被せられて取り付けられている。従動輪５は前輪で、後輪である二つの駆動輪６ａ，６ｂに比して小径で、動力ケース２の底面前側の幅方向中央部に空転自在に取り付けられている。駆動輪６ａ，６ｂは、動力ケース２の後側の両側部に、動力源によって回転可能に取り付けられている。また、動力ケース４の底面の駆動輪６ａ，６ｂ側の端部は斜めに切り上げられている。
【００１５】
本例における動力源は、巻き締め状態からの復帰時に車輪６ａ，６ｂを回転させるゼンマイ（図示されていない）で、前記索体２はこのゼンマイを巻き締める巻き締め用の紐を兼ねたものとなっている。更に説明すると、索体２の内端は、ゼンマイの復帰時に駆動輪６ａ，６ｂと共に回転される、動力ケース４内に設けられたリール（図示されていない）に取り付けられている。そして、索体２は、ゼンマイの復帰時にこのリールに巻き付けられ、その状態から引き出すことでリールを回転させてゼンマイを巻き締めることができるものとなっている。
【００１６】
動力ケース４の底面には、本走行玩具全体の重心よりも二つの駆動輪６ａ，６ｂのうちの片方の駆動輪６ａ側に偏った位置で、しかも片方の駆動輪６ａの中心よりも後側の端部寄りに突起部７が下向きに突出している。この突起部７の突出量は、図１及び図３に示されるように、総ての車輪（従動輪５及び駆動輪６ａ，６ｂ）が接地した水平状態においては、突起部７の垂直方向下端縁が片方の駆動輪６ａの下端縁よりもｈ1だけ上方にある量となっている。また、図４〜図６に示されるように、索体２を引き上げて前側を所定量以上持ち上げた傾斜状態においては、突起部７の垂直方向下端縁が片方の駆動輪６ａの下端縁よりｈ2だけ下方に突出するものとなっている。つまり、突出部７は、水平状態では垂直方向下端縁が片方の駆動輪６ａの下端縁よりもｈ1だけ上方にあり、傾斜状態においては垂直方向下端縁が片方の駆動輪６ａの下端縁よりｈ2だけ下方に突出する突出量となっている。
【００１７】
本走行玩具は、上記突出部７を有していることから、水平状態においては、総ての車輪（従動輪５及び駆動輪６ａ，６ｂ）が接地し、直線走行することができる。一方、索体２を引き上げて前側を所定量以上持ち上げた傾斜状態とすると、突出部７によって片方の駆動輪６ａが浮き上がる。この時、突出部７が重心よりも片方の駆動輪６ａ寄りに設けられているので、特に図６に明示されるように、もう一つの駆動輪６ｂ側に全体が傾くことで、駆動輪６ｂの接地は維持されるので、図４に矢印で示すように回転運動することになる。本例のような犬の形状の本体１としておくと、あたかも犬が立ち上がって回転するような動きが得られる。
【００１８】
上記の例は三輪の例となっているが、四輪とすることもできる。即ち、前輪である従動輪５を二つにしても同様にして直線運動と回転運動を行わせることができる。また、上記の例では後輪が駆動輪６ａ，６ｂ、前輪が従動輪５となっているが、駆動輪６ａ，６ｂを前輪、従動輪５を後輪とすることもできる。つまり、本考案は、前後一方側に一つ又は二つの従動輪５，（５）、前後他方側に二つの駆動輪６ａ，６ｂが設けられた三輪又は四輪の走行玩具に対して適用することができる。上記の例とは従動輪５と駆動輪６ａ，６ｂの前後を逆にすると、例えば上記の例と同様の犬の本体１の場合、犬が逆立ちして回転するような動きとなる。
【００１９】
上記の例ではゼンマイを駆動源としたが、モーターを駆動源としてもよい。但し、ゼンマイを駆動源とし、索体２を、ゼンマイが復帰して緩むと共に巻き取られ、引き出すことでゼンマイを巻き締めることができる巻き締め用の紐を兼ねたものとすることが好ましい。このような巻き締め用の紐を備えたゼンマイ機構は糸引きゼンマイ機構として周知である。このようにすると、索体２を引き出してゼンマイを巻き締めた後、索体２を同じ高さに持っているだけで、徐々に索体２が縮まって回転が始まる動きができるので好ましい。
【００２０】
上記の例における本体１は、犬の形状をなしているが、その他の動物の形状、自動車、電車、船、飛行機等の乗り物、ロボット等の形状とすることもできる。また、本体１の材質としては、布、プラスチック、金属、これらの複合体等から選択することができる。
【００２１】
索体２としては、合成繊維又は天然繊維の紐が適しているが、この紐の他、テグス様の合成樹脂線材、ワイヤー様の金属線材、鎖等を用いることもできる。また、本体１を小型にすることにより携帯電話等に付けるストラップとすることも可能である。
【符号の説明】
【００２２】
１  本体
２  索体
３  動力部
４  動力ケース
５  従動輪
６ａ，６ｂ  駆動輪
７  突起部
【図１】
0003160650.tif 000003
【図２】
0003160650.tif 000004
【図３】
0003160650.tif 000005
【図４】
0003160650.tif 000006
【図５】
0003160650.tif 000007
【図６】
0003160650.tif 000008